【手続補正書】
【提出日】平成17年1月13日(2005.1.13)
【手続補正１】
【補正対象書類名】明細書
【補正対象項目名】特許請求の範囲
【補正方法】変更
【補正の内容】
【特許請求の範囲】
【請求項１】
補給トレイを有するプリンタに用いられる媒体装填器インサートであって、
小寸法媒体受けを画定し、前記補給トレイに嵌まって安定する大きさになっている、インサート本体と、
前記小寸法媒体受けに近在し、該小寸法媒体受けの側縁に沿ってその中央部に配置されて該小寸法媒体受け内の媒体の側縁にその中央部で接触することによって前記媒体を前記補給トレイの側壁に接触するように付勢し、前記媒体の斜行を抑える幅調節器と
を備えることを特徴とする媒体装填器インサート。
【請求項２】
前記補給トレイが、前記補給トレイに入れられた封書サイズの媒体に選択的に接触するように構成されている側縁止めを備え、前記インサート本体の幅が、前記封書サイズの媒体の幅に相当する幅を有していることを特徴とする請求項１に記載の媒体装填器インサート。
【請求項３】
前記幅調節器が、前記小寸法媒体受けの内部に入れられた媒体の側縁に選択的に接触するように構成されている調節可能な媒体接触面を備えることを特徴とする請求項１に記載の媒体装填器インサート。
【請求項４】
前記媒体接触面が、前記小寸法媒体受けの内部に入れられた媒体の側縁と接触し、前記媒体が前記補給トレイの側壁に当接するように付勢されることを特徴とする請求項３に記載の媒体装填器インサート。
【請求項５】
前記幅調節器が、小寸法媒体受けの内部に入れられた媒体を下から支持するように構成された調節可能な床を備えることを特徴とする請求項１に記載の媒体装填器インサート。
【請求項６】
前記幅調節器の床が上方に自由に回動して、前記小寸法媒体受けの内部に入れられた媒体のピックアップを可能にすることを特徴とする請求項５に記載の媒体装填器インサート。
【請求項７】
前記幅調節器が、第１の軸（Ａ）の周りに回動して前記小寸法媒体受けの内部に入れられた媒体の側縁に接触するよう付勢されている媒体接触面を備え、
前記幅調節器が、第１の軸（Ａ）に交差する第２の軸（Ｂ）の周りに回動して前記小寸法媒体受けの内部に入れられた媒体を下から支持する床を備えることを特徴とする請求項１に記載の媒体装填器インサート。
【請求項８】
プリンタ内で補給トレイとともに用いられる媒体装填器インサートであって、前記補給トレイは、前記プリンタ内へ送るものとして第１のサイズを有する媒体を受け、保持するための、固定壁および床を有し、
前記媒体装填器インサートが、
（ａ）  前記第１のサイズを有する媒体に比して小さなサイズを有する小寸法媒体を収納するための小寸法媒体受けを有するインサート本体であって、
（ａ−１）  前記補給トレイに挿入され、前記補給トレイの前記床上に載置されて前記小寸法媒体を前記プリンタに供給するように構成され、
（ａ−２）  さらに、前記補給トレイから前記小寸法媒体とともに取り外されるように構成される、
インサート本体と、
（ｂ）  前記小寸法媒体受けの一側面に沿う媒体接触面であって、前記小寸法媒体に付勢して前記小寸法媒体が前記補給トレイの一側面と接触するように動くことにより媒体の大きさの変化に対応する、媒体接触面と
を有することを特徴とする媒体装填器インサート。
【請求項９】
プリンタであって、
（ａ）  印刷用の補給ポートから挿入される封書サイズの媒体を収納するよう構成された補給トレイであって、
（ａ−１）  補給トレイに入れられた封書サイズの媒体の側縁に選択的に接触し、前記封書サイズの媒体を前記補給トレイの側壁と接触すべく付勢するように構成された調節可能な側縁止めと、
（ａ−２）  前記補給トレイの中に入れられた前記封書サイズの媒体の前縁を選択的に持ち上げるよう構成されている媒体昇降機と
を備える、補給トレイと、
（ｂ）  媒体装填器インサートであって、
（ｂ−１）  小寸法媒体を中に収納するように構成された小寸法媒体受けを有するインサート本体と、
（ｂ−２）  前記小寸法媒体受けの内部にある小寸法媒体の側縁と選択的に接触するように構成された幅調節器と、
（ｂ−３）  小寸法媒体受けの内部にある小寸法媒体の後縁と選択的に接触するように構成された長さ調節器と
を備える媒体装填器インサートと
を有し、
前記幅調節器（ｂ−２）が、
（ｂ−２−１）  前記小寸法媒体受けの側縁に沿って配置された回動式媒体接触面であって、第１の軸（Ａ）の周りに回動して前記小寸法媒体受けの内部に入れられた前記小寸法媒体の側縁に選択的に接触し、前記小寸法媒体を前記補給トレイの側壁と接触すべく付勢するように構成された、回動式媒体接触面と、
（ｂ−２−２）  前記第１の軸（Ａ）に交差する第２の軸（Ｂ）の周りに前記媒体昇降機とともに回動して、前記小寸法媒体受けの内部にある前記小寸法媒体を選択的に持ち上げるように構成された回動式幅調節器床と
を備えており、
前記長さ調節器（ｂ−３）が、
（ｂ−３−１）  前記小寸法媒体受けの後縁に沿って設置された調節可能な媒体接触面であって、前記小寸法媒体受けの内部に入れられた前記小寸法媒体の後縁に選択的に接触する、調節可能な媒体接触面を備えており、
前記媒体装填器インサート（ｂ）が、
（ｂ−４）  前記封書サイズの媒体の幅に相当する幅を有しており、前記媒体装填器インサートは前記補給トレイ内に、取り外し可能に装着され、前記調節可能な側縁止めが、媒体装填器インサートと接触して前記媒体装填器インサートが前記補給トレイの側壁と接触すべく付勢して、前記媒体装填器インサートが固定されることが可能となるように構成されている
ことを特徴とするプリンタ。
【請求項１０】
プリンタであって、
（ａ）  印刷用の補給ポートから挿入される封書サイズの媒体を収納するように構成された補給トレイであって、前記補給トレイに入れられた前記封書サイズの媒体の側縁に選択的に接触し、前記封書サイズの媒体を前記補給トレイの側壁と接触すべく付勢するように構成された調節可能な側縁止めを備える、補給トレイと、
（ｂ）  媒体装填器インサートであって、
（ｂ−１）  小寸法媒体受けを有するインサート本体と、
（ｂ−２）  調節可能な媒体接触面を有する幅調節器であって、前記小寸法媒体受けの側縁に沿って配置されており、前記小寸法媒体受けの内部にある前記小寸法媒体の側縁に選択的に接触する、幅調節器と
を備える媒体装填器インサートと
を有し、
前記媒体装填器インサート（ｂ）が、
（ｂ−３）  封書サイズの媒体の幅に相当する幅を有しており、前記媒体装填器インサートは前記補給トレイ内に、取り外し可能に装着され、前記調節可能な側縁止めが媒体装填器インサートと接触して前記媒体装填器インサートが前記補給トレイの側壁と接触すべく付勢して、前記媒体装填器インサートが固定されることが可能となるように構成されており、前記小寸法媒体受け内に入れられた前記小寸法媒体は前記補給トレイの側壁に接触するように付勢されて前記小寸法媒体の斜行が抑制される
ことを特徴とするプリンタ
【手続補正２】
【補正対象書類名】明細書
【補正対象項目名】０００６
【補正方法】変更
【補正の内容】
【０００６】
他に、比較的小さい媒体を装填することに伴う問題点を克服するプリンタでさえ、幅を適切に調節できないことがあり、許容できない媒体の斜行（ｓｋｅｗ：ずれ、ねじれ）という問題に突き当たる。たとえば、媒体の縁止めは典型的には、標準サイズの媒体シートの中心領域に接触（ｅｎｇａｇｅ：位置）し、補給スタックの正しい向きを維持するために媒体を横方向に付勢するようになっている。しかし、小さい媒体では通常、媒体の縁止めが媒体の後縁に近いところに位置するので、媒体が挿入開口に入る時に媒体を斜行させる可能性があることが認められる。これは補給トレイの床が上方に回転するにつれて悪化し、補給媒体スタックにかかる横方向の付勢力を維持するのが困難になる。
【手続補正３】
【補正対象書類名】明細書
【補正対象項目名】００１８
【補正方法】変更
【補正の内容】
【００１８】
本実施の形態では、幅調節器30はＹ軸に平行な水平軸Ｂの周りをも回転して調節可能である。軸Ｂは、調節可能な床34の回転による調節に備えて、一般に幅調節器の後端に沿って伸びていることが注目される。床34は、その前端の近傍で鉛直方向に約15ｍｍ調節する。このような回転調節に配慮することによって、媒体スタックの高さが変わった時でも幅調節器を媒体スタックの側縁に接触させておくことが可能である。補給トレイによる媒体の支持に影響を与えることなく、したがって図３で実証されるような通常の媒体送りを犠牲にすることなく、小サイズ媒体スタックを媒体の前縁に更に近いところで接触させることも可能である。床34を正のＺ方向に、蝶番組立体36によって小サイズ媒体スタックとの係合の方に、ばね付勢することも可能である。
【手続補正４】
【補正対象書類名】明細書
【補正対象項目名】００１９
【補正方法】変更
【補正の内容】
【００１９】
なお図１および図２を参照すると、長さ調節器40がおおよそ平面状の媒体接触面42を有していることが注目される。好適には、媒体接触面42は、小サイズ媒体スタック20の後縁の実質的部分に、典型的にはその中心領域において接触し、不必要な媒体の斜行の可能性を減らすようにしている。小サイズ媒体スタックは更に、床44によってその後縁に沿って支持されており、床44は、媒体接触面42から幾分普通に広がって小サイズ媒体スタックを下から支持している。床44は媒体を完全に端から端まで伸びる必要はないが、描写した実施形態では媒体を横断するように広がっていることが認識される。床44は、図示したように、媒体の長さ方向に約1/4乃至1/3広がっている。
【手続補正５】
【補正対象書類名】明細書
【補正対象項目名】００２７
【補正方法】変更
【補正の内容】
【００２７】
描写した実施形態では、媒体昇降機120は、補給トレイの床に蝶番で回転可能に留められ、したがって媒体昇降機が、おおむねＹ軸に平行な軸Ｃの周りを回転できる。好適には、媒体昇降機は、媒体昇降機の上に載っておりやはりＹ軸におおむね平行な軸Ｂの周りを回転する幅調節器の床34と連携して回転する。典型的には、媒体昇降機は、上方に（図３における時計回りに）回転して媒体をピックアップローラ215の方に押すようにばね付勢されている。単一のピックアップローラが図示されているが、当業者は、複数の、間を離されつつも密接するように設置されたピックアップローラを使用して媒体の斜行の危険性を更に減らすことができることを理解するであろう。